(57)【要約】  電池パックは、複数の二次電池と、（Ａ）複数の二次電池を保持し、（Ｂ）複数の二次電池の間に配置されると共に、その複数の二次電池の配置領域を仕切る仕切部を含み、（Ｃ）熱膨張性材料を含む電池保持部材とを備える。
2019044069.tif 000002
【特許請求の範囲】
【請求項１】
複数の二次電池と、
（Ａ）前記複数の二次電池を保持し、（Ｂ）前記複数の二次電池の間に配置されると共に、その複数の二次電池の配置領域を仕切る仕切部を含み、（Ｃ）熱膨張性材料を含む、電池保持部材と
を備えた、電池パック。
【請求項２】
前記電池保持部材は、さらに、前記複数の二次電池の周囲に配置されると共に前記仕切部に連結された枠部を含む、
請求項１記載の電池パック。
【請求項３】
前記熱膨張性材料は、熱膨張ゴムおよび熱膨張スポンジのうちの少なくとも一方を含む、
請求項１記載の電池パック。
【請求項４】
前記熱膨張性材料は、５倍以上の熱膨張倍率を有する、
請求項１記載の電池パック。
【請求項５】
さらに、
前記複数の二次電池のうちの２つ以上の前記二次電池に電気的に接続されると共に、前記２つ以上の二次電池の変位に応じて伸縮可能である接続端子部材を備えた、
請求項１記載の電池パック。
【請求項６】
さらに、
前記複数の二次電池のうちの２つ以上の前記二次電池に電気的に接続されると共に、前記２つ以上の二次電池から部分的に遠ざかるように折り曲げられた折り曲げ部を含む接続端子部材を備えた、
請求項１記載の電池パック。
【請求項７】
前記接続端子部材は、少なくとも前記折り曲げ部が設けられた領域に開口部を有する、
請求項６記載の電池パック。
【請求項８】
前記複数の二次電池のそれぞれは、
第１端部と、
前記第１端部の反対側の第２端部と
を含み、
前記電池保持部材は、
前記第１端部を保持する第１電池保持部材と、
前記第２端部を保持する第２電池保持部材と
を含む、
請求項１記載の電池パック。
【請求項９】
さらに、
前記第１電池保持部材と前記第２電池保持部材との間に、前記複数の二次電池の間に配置されると共に前記複数の二次電池の配置領域を仕切る仕切部材を備えた、
請求項８記載の電池パック。
【請求項１０】
前記仕切部材は、熱膨張性材料を含む、
請求項９記載の電池パック。
【請求項１１】
さらに、
前記複数の二次電池および前記電池保持部材を収納する収納部材を備え、
前記仕切部材は、前記収納部材に連結されている、
請求項９記載の電池パック。
【請求項１２】
前記仕切部材および前記収納部材のそれぞれは、熱伝導性材料を含む、
請求項１１記載の電池パック。
【請求項１３】
さらに、
前記複数の二次電池および前記電池保持部材を収納すると共に、前記電池保持部材により保持された前記複数の二次電池のそれぞれとの間に間隔が設けられた収納部材を備えた、
請求項１記載の電池パック。
【請求項１４】
前記複数の二次電池のそれぞれは、リチウムイオン二次電池である、
請求項１記載の電池パック。
【請求項１５】
電池パックと、
前記電池パックから電力を供給される可動部と
を備え、
前記電池パックは、
複数の二次電池と、
（Ａ）前記複数の二次電池を保持し、（Ｂ）前記複数の二次電池の間に配置されると共に、その複数の二次電池の配置領域を仕切る仕切部を含み、（Ｃ）熱膨張性材料を含む、電池保持部材と
を備えた、電動工具。
【請求項１６】
電池パックを電力供給源として備え、
前記電池パックは、
複数の二次電池と、
（Ａ）前記複数の二次電池を保持し、（Ｂ）前記複数の二次電池の間に配置されると共に、その複数の二次電池の配置領域を仕切る仕切部を含み、（Ｃ）熱膨張性材料を含む、電池保持部材と
を備えた、電子機器。
【発明の詳細な説明】
【技術分野】
【０００１】
本技術は、複数の二次電池を備えた電池パック、ならびにその電池パックを用いた電動工具および電子機器に関する。
【背景技術】
【０００２】
電子機器が広く普及しており、その電子機器に適用される電源として、小型かつ軽量であると共に高エネルギー密度を得ることが可能な二次電池の開発が進められている。この二次電池は、上記した電子機器に限らず、電動工具などの他の用途にも適用されている。【０００３】
電子機器などの高性能化および多機能化に応じて、二次電池のエネルギー密度をより高くすることが要望されているため、その二次電池の使用時において発生する熱量が増加している。そこで、複数の二次電池を容易かつ安全に取り扱うために、筐体の内部に複数の二次電池が収納された電池パックが用いられている。【０００４】
電池パックの安全性を向上させるために、さまざまな検討がなされている。具体的には、電池パック全体が類焼することを抑制するために、筐体の内壁などに、熱に応じて電池と筐体との間の内部間隙を減少させる熱膨張部が設けられている（例えば、特許文献１参照。）。
【先行技術文献】
【特許文献】
【０００５】
【特許文献１】特開２００９−０２１２２３号公報
【発明の概要】
【０００６】
電池パックの安全性を向上させるために具体的な提案がなされているが、その電池パックの安全性は未だ十分でないため、改善の余地がある。
【０００７】
本技術はかかる問題点に鑑みてなされたもので、その目的は、安全性を向上させることが可能な電池パック、電動工具および電子機器を提供することにある。
【０００８】
本技術の一実施形態の電池パックは、複数の二次電池と、（Ａ）複数の二次電池を保持し、（Ｂ）複数の二次電池の間に配置されると共に、その複数の二次電池の配置領域を仕切る仕切部を含み、（Ｃ）熱膨張性材料を含む電池保持部材とを備えたものである。
【０００９】
本技術の一実施形態の電動工具および電子機器のそれぞれは、電池パックを備え、その電池パックが上記した本技術の一実施形態の電池パックと同様の構成を有するものである。
【００１０】
本技術の一実施形態の電池パックによれば、複数の二次電池を保持する電池保持部材が複数の二次電池の配置領域を仕切る仕切部を含んでおり、その電池保持部材（仕切部）が熱膨張性材料を含んでいるので、安全性を向上させることができる。また、本技術の一実施形態の電動工具および電子機器のそれぞれにおいても、同様の効果を得ることができる。
【００１１】
なお、ここに記載された効果は、必ずしも限定されるわけではなく、本技術中に記載されたいずれの効果であってもよい。
【図面の簡単な説明】
【００１２】
【図１】本技術の第１実施形態における電池パックの構成を表す斜視図である。
【図２】図１に示した電池モジュールの構成を表す斜視図である。
【図３】図２に示した二次電池の構成を表す断面図である。
【図４】電池パックの製造方法を説明するための斜視図である。
【図５】電池パックの動作（安全動作）を説明するための断面図である。
【図６】電池パックの構成に関する変形例を表す斜視図である。
【図７】本技術の第２実施形態における電池パックの構成を表す斜視図である。
【図８】図７に示した電池ホルダの構成を表す斜視図である。
【図９】電池パックの構成に関する変形例を表す断面図である。
【図１０】電池パックの適用例（電動工具）の構成を表すブロック図である。
【発明を実施するための形態】
【００１３】
以下、本技術の一実施形態に関して、図面を参照して詳細に説明する。なお、説明する順序は、下記の通りである。
１．電池パック（第１実施形態）
１−１．全体構成
１−２．電池モジュールの構成
１−３．二次電池の構成
１−４．製造方法
１−５．動作
１−６．作用および効果
１−７．変形例
２．電池パック（第２実施形態）
２−１．構成
２−２．製造方法
２−３．動作
２−４．作用および効果
２−５．変形例
３．電池パックの用途
３−１．電子機器などの各種用途
３−２．電動工具
【００１４】
＜１．電池パック（第１実施形態）＞
まず、本技術の第１実施形態の電池パックに関して説明する。
【００１５】
ここで説明する電池パックは、複数の二次電池を備えた電源であり、電子機器などの多様な用途に適用される。
【００１６】
電子機器の種類は、特に限定されないが、例えば、ノート型のパーソナルコンピュータなどである。ただし、電池パックの用途は、上記したように、電子機器に限られないため、他の用途でもよい。電池パックの用途の詳細に関しては、後述する。
【００１７】
二次電池の種類は、特に限定されないが、例えば、リチウムイオン二次電池などである。ただし、二次電池は、リチウムイオン二次電池に限られないため、他の二次電池でもよい。リチウムイオン二次電池の詳細に関しては、後述する。
【００１８】
＜１−１．全体構成＞
まず、電池パックの全体構成に関して説明する。
【００１９】
図１は、本実施形態の電池パックの一例である電池パック１００の斜視構成を表している。ただし、図１では、電池パック１００を構成する一連の構成要素（上側筐体１１、下側筐体１２、電池モジュール２０および回路基板３０）が互いに離間された状態を示している。
【００２０】
この電池パック１００は、例えば、図１に示したように、筐体１０の内部に、電池モジュール２０と、回路基板３０とを備えている。
【００２１】
以下では、図１中に示した３本の軸（Ｘ軸、Ｙ軸およびＺ軸）を用いて、寸法および方向を規定する。具体的には、Ｘ軸方向の寸法を「幅」、Ｙ軸方向の寸法を「長さ」、Ｚ軸方向の寸法を「高さ」とする。また、図１中の長さ方向（Ｙ軸方向）において、左下側の方向を「前側」、右上側の方向を「後側」とすると共に、図１中の高さ方向（Ｚ軸方向）において、上側の方向を「上側」、下側の方向を「下側」とする。
【００２２】
［筐体］
筐体１０は、主に、電池モジュール２０などを収納する箱状の収納部材である。筐体１０の立体的形状は、特に限定されないが、例えば、略直方体などである。
【００２３】
ここでは、筐体１０は、例えば、高さ方向（Ｚ軸方向）に分割可能であり、すなわち上下に分割可能である。具体的には、筐体１０は、例えば、互いに組み合わされることにより電池モジュール２０を収納可能である上側筐体１１および下側筐体１２を含んでいる。
【００２４】
下側筐体１２は、例えば、内側に向かって突出した２個の突起部１２Ｔを有している。この２個の突起部１２Ｔは、互いに対向すると共に間隔（空間）を隔てて互いに離間されるように配置されている。この空間は、下側筐体１２に電池モジュール２０が収納される空間である。
【００２５】
下側筐体１２の内部に電池モジュール２０が収納される場合には、その電池モジュール２０は、２個の突起部１２Ｔの間に配置されるため、その２個の突起部１２Ｔにより挟まれる。これにより、下側筐体１２の内部に電池モジュール２０が収納される際に、２個の突起部１２Ｔを利用して電池モジュール２０が下側筐体１２に位置合わせされると共に仮固定される。
【００２６】
この場合には、特に、２個の突起部１２Ｔを介して電池モジュール２０（後述する電池ホルダ５０により保持された複数の二次電池４０）が筐体１０から離間されているため、その筐体１０と電池モジュール２０との間に間隔（隙間）が設けられている。後述するように、発熱源である異常な二次電池４０が電池ホルダ５０の熱膨張現象を利用して変位するためのマージンが確保されるため、その二次電池４０が変位しやすくなるからである。
【００２７】
２個の突起部１２Ｔのうちの一方の突起部１２Ｔには、例えば、高さ方向に延在するネジ穴１２Ｈが設けられている。後述するように、例えば、ネジ穴１２Ｈに仕切板７０（貫通口７０Ｈ）を介してネジ１３が挿入されることにより、電池モジュール２０が下側筐体１２にネジ止めされる（図４参照）。これにより、電池モジュール２０が下側筐体１２に連結されると共に固定される。上記した筐体１０と電池モジュール２０との間の隙間が維持されやすくなるため、複数の二次電池４０が電池ホルダ５０の熱膨張現象を利用して安定に変位しやすくなるからである。
【００２８】
筐体１０の形成材料は、特に限定されない。具体的には、筐体１０は、例えば、金属材料および高分子材料などのうちのいずれか１種類または２種類以上を含んでいる。
【００２９】
中でも、筐体１０は、高い熱伝導率を有する熱伝導性材料を含んでいることが好ましい。後述するように、仕切板７０が筐体１０と同様に熱伝導性材料を含んでいると共に、その仕切板７０が下側筐体１２に連結されていることにより、その電池モジュール２０（発熱源である異常な二次電池４０）において発生した熱が下側筐体１２に伝導されやすくなるため、その電池モジュール２０において蓄熱しにくくなるからである。なお、熱伝導性材料の詳細に関しては、後述する。
【００３０】
この場合には、特に、上側筐体１１と下側筐体１２とが互いに組み合わされることにより、その上側筐体１１と下側筐体１２とが互いに連結されるため、電池モジュール２０において発生した熱が下側筐体１２を介して上側筐体１１まで伝導されやすくなる。これにより、電池モジュール２０において発生した熱が筐体１０全体（上側筐体１１および下側筐体１２）に伝導されやすくなるため、その電池モジュール２０においてより蓄熱しにくくなる。
【００３１】
［電池モジュール］
電池モジュール２０は、主に、複数の二次電池４０（図２参照）を用いて電力を発生させる電池素子である。電池モジュール２０の詳細な構成に関しては、後述する（図２参照）。
【００３２】
［回路基板］
回路基板３０は、主に、電池パック１００全体の動作を制御する基板であり、いわゆる複数の電子部品などが実装された実装基板である。
【００３３】
この回路基板３０は、例えば、上側筐体１１と電池モジュール２０との間に配置されていると共に、その電池モジュール２０のうちの後述する接続端子板６０（端子板６１１，６２１）に接続されている。
【００３４】
＜１−２．電池モジュールの構成＞
次に、上記した電池モジュール２０の構成に関して説明する。
【００３５】
図２は、図１に示した電池モジュール２０の斜視構成を表している。ただし、図２では、例えば、電池モジュール２０を構成する一連の構成要素（複数の二次電池４０、電池ホルダ５０、接続端子板６０および仕切板７０）が互いに離間された状態を示している。
【００３６】
この電池モジュール２０は、例えば、図２に示したように、複数の二次電池４０と、電池ホルダ５０と、接続端子板６０と、仕切板７０とを含んでいる。
【００３７】
［二次電池］
二次電池４０は、電池パック１００のうちの主要部であり、いわゆる電源である。ここでは、二次電池４０は、例えば、いわゆる円筒型のリチウムイオン二次電池であり、長さ方向（Ｙ軸方向）に延在している。
【００３８】
この二次電池４０は、例えば、長さ方向における一端に設けられた突起状の正極端子部４０Ｐと、その長さ方向における他端に設けられた非突起状の負極端子部４０Ｍとを有している。
【００３９】
また、二次電池４０は、例えば、前側に位置する第１端部である前側部分４０Ｆと、後側に位置する第２端部である後側部分４０Ｒとを有している。この前側部分４０Ｆは、電池ホルダ５０のうちの後述する前側電池ホルダ５１により保持される部分であると共に、後側部分４０Ｒは、電池ホルダ５０のうちの後述する後側電池ホルダ５２により保持される部分である。
【００４０】
二次電池４０の数は、特に限定されない。ここでは、電池モジュール２０は、例えば、６個の二次電池４０（４１〜４６）を含んでいる。この二次電池４１〜４６は、例えば、幅方向（Ｘ軸方向）に３列および高さ方向に２段となるように配列されている。図２に示した線Ｌは、電池モジュール２０を構成する一連の構成要素の位置関係を分かりやすくするために、二次電池４１の延在方向に沿った仮装線を表している。
【００４１】
二次電池４１〜４６のそれぞれの向きは、その二次電池４１〜４６が互いに接続されていれば、特に限定されない。ここでは、例えば、２並列×３直列となるように二次電池４１〜４６を互いに接続させるために、二次電池４１，４２，４５，４６のそれぞれでは正極端子部４０Ｐが前側を向いていると共に、二次電池４３，４４のそれぞれでは負極端子部４０Ｍが前側を向いている。
【００４２】
なお、二次電池４０（円筒型のリチウムイオン二次電池）の詳細な構成に関しては、後述する（図３参照）。
【００４３】
［電池ホルダ］
電池ホルダ５０は、主に、複数の二次電池４０を保持する電池保持部材である。ここでは、電池モジュール２０は、例えば、２個の電池ホルダ５０を含んでいる。すなわち、電池ホルダ５０は、例えば、第１電池保持部材である前側電池ホルダ５１と、第２電池保持部材である後側電池ホルダ５２とを含んでいる。
【００４４】
［前側電池ホルダ］
前側電池ホルダ５１は、複数の二次電池４０の前側に配置されており、例えば、その複数の二次電池４０を保持するための複数の窪み５１Ｕを有している。窪み５１Ｕの底部には、例えば、複数の二次電池４０と接続端子板６０（前側接続端子板６１）とを互いに接続させるための開口部５１Ｋが設けられている。
【００４５】
窪み５１Ｕの立体的形状は、特に限定されないが、例えば、二次電池４０の立体的形状（円筒状）に対応した円筒状である。また、開口部５１Ｋの開口形状は、特に限定されないが、例えば、円形である。ただし、開口部５１Ｋから二次電池４０が脱落しないようにするために、その開口部５１Ｋの直径は、例えば、二次電池４０の外径よりも小さくなっている。
【００４６】
この前側電池ホルダ５１は、上記した複数の窪み５１Ｕを形成するために、仕切部５１１を含んでいる。この仕切部５１１は、複数の二次電池４０の間に配置されると共に、その複数の二次電池４０の配置領域を仕切る部材である。
【００４７】
具体的には、前側電池ホルダ５１は、例えば、上記した仕切部５１１と共に、その仕切部５１１に連結された枠部５１２を含んでいる。
【００４８】
仕切部５１１は、上記したように、複数の二次電池４０の配置領域を仕切るために、支持板部５１１Ａと、複数の隔壁部５１１Ｂとを含んでいる。支持板部５１１Ａは、幅方向に延在している。複数の隔壁部５１１Ｂは、長さ方向に延在していると共に、間隔を隔てて互いに離間されるように支持板部５１１Ａの上面および下面のそれぞれに設けられている。
【００４９】
枠部５１２は、複数の二次電池４０の周囲に配置された外枠であり、仕切部５１１を支持する部材である。この枠部５１２は、例えば、仕切部５１１に連結されることにより、その仕切部５１１と一体化されている。
【００５０】
前側電池ホルダ５１が仕切部５１１を含んでいるため、複数の二次電池４０が間隔を隔てて互いに離間されるように配置されている。また、前側電池ホルダ５１が仕切部５１１と共に枠部５１２を含んでいるため、上記したように、複数の二次電池４０が間隔を隔てて互いに離間された状態において、その複数の二次電池４０が前側電池ホルダ５１により保持されている。
【００５１】
ここでは、前側電池ホルダ５１は、例えば、６個の二次電池４０（４１〜４６）に対応して、６個の窪み５１Ｕおよび６個の開口部５１Ｋを有している。これに伴い、仕切部５１１は、例えば、１個の支持板部５１１Ａと、その支持板部５１１Ａの上面に設けられた２個の隔壁部５１１Ｂと、その支持板部５１１Ａの下面に設けられた２個の隔壁部５１１Ｂとを含んでいる。６個の窪み５１Ｕの配列パターンは、例えば、上記した６個の二次電池４１〜４６の配列パターン（幅方向に３列および高さ方向に２段）に対応している。
【００５２】
この前側電池ホルダ５１は、６個の窪み５１Ｕのそれぞれに二次電池４１〜４６のそれぞれのうちの前側部分４０Ｆが挿入されることにより、その二次電池４１〜４６を保持する。
【００５３】
［後側電池ホルダ］
後側電池ホルダ５２は、複数の二次電池４０の後側に配置されており、その複数の二次電池４０のそれぞれのうちの後側部分４０Ｒを保持することを除いて、上記した前側電池ホルダ５１と同様の構成を有している。
【００５４】
具体的には、後側電池ホルダ５２は、例えば、複数の二次電池４０を保持するための複数の窪み５２Ｕを有しており、その窪み５２Ｕの底部には、例えば、複数の二次電池４０と接続端子板６０（後側接続端子板６２）とを互いに接続させるための開口部５２Ｋが設けられている。窪み５２Ｕおよび開口部５２Ｋのそれぞれに関する詳細は、例えば、窪み５１Ｕおよび開口部５２Ｋのそれぞれに関する詳細と同様である。
【００５５】
この後側電池ホルダ５２は、上記した複数の窪み５２Ｕを形成するために、例えば、仕切部５２１と、枠部５２２とを含んでおり、その仕切部５２１は、例えば、支持板部５２１Ａと、複数の隔壁部５２１Ｂとを含んでいる。仕切部５２１（支持板部５２１Ａおよび隔壁部５２１Ｂ）および枠部５２２のそれぞれに関する詳細は、例えば、仕切部５１１（支持板部５１１Ａおよび隔壁部５１１Ｂ）および枠部５１２のそれぞれに関する詳細と同様である。
【００５６】
後側電池ホルダ５２が仕切部５２１を含んでいるため、複数の二次電池４０が間隔を隔てて互いに離間されるように配置されている。また、後側電池ホルダ５２が仕切部５２１と共に枠部５２２を含んでいるため、上記したように、複数の二次電池４０が間隔を隔てて互いに離間された状態において、その複数の二次電池４０が後側電池ホルダ５２により保持されている。
【００５７】
ここでは、後側電池ホルダ５２は、例えば、６個の二次電池４０（４１〜４６）に対応して、６個の窪み５２Ｕおよび６個の開口部５２Ｋを有していると共に、１個の支持板部５２１Ａおよび４個の隔壁部５２１Ｂを含んでいる。６個の窪み５２Ｕの配列パターンは、例えば、上記した６個の窪み５１Ｕの配列パターンと同様である。
【００５８】
この後側電池ホルダ５２は、６個の窪み５２Ｕのそれぞれに二次電池４１〜４６のそれぞれのうちの後方部分４０Ｆが挿入されることにより、その二次電池４１〜４６を保持する。
【００５９】
電池モジュール２０が２個の電池ホルダ５０（前側電池ホルダ５１および後側電池ホルダ５２）を含んでいるのは、その電池モジュール２０が１個の電池ホルダ５０だけを含んでいる場合と比較して、複数の二次電池４０が安定に保持されやすくなるからである。
【００６０】
［材質］
電池ホルダ５０（前側電池ホルダ５１および後側電池ホルダ５２）は、熱膨張性材料のうちのいずれか１種類または２種類以上を含んでいる。この「熱膨張性材料」とは、何らかの要因に起因して二次電池４０が過度に発熱した際に、その熱を利用して熱膨張することが可能な材料の総称である。二次電池４０が発熱する要因は、例えば、短絡などである。
【００６１】
熱膨張性材料の物性は、上記したように、熱を利用して熱膨張することが可能な物性であれば、特に限定されない。ただし、熱膨張性材料の熱膨張倍率は、特に限定されないが、できるだけ高いことが好ましい。具体的には、熱膨張倍率は、５倍以上であることが好ましい。二次電池４０の発熱時において電池ホルダ５０が十分に熱膨張しやすくなるからである。ここで説明する「熱膨張倍率」は、約１５０℃〜３００℃との温度となるように加熱された場合の熱膨張倍率である。なお、熱膨張倍率の上限値は、特に限定されないが、その熱膨張倍率は、３０倍以下であることが好ましい。
【００６２】
熱膨張性材料の種類は、上記した物性を有する材料のうちのいずれか１種類または２種類以上であれば、特に限定されない。具体的には、熱膨張性材料は、例えば、熱膨張ゴムおよび熱膨張スポンジなどである。より具体的には、熱膨張ゴムは、例えば、積水化学工業株式会社製の熱膨張耐火材  フィブロック（登録商標）および藤倉ゴム工業株式会社製の熱膨張断熱ゴムなどである。熱膨張スポンジは、例えば、ＣＲＫ株式会社製の熱膨張性耐火スポンジなどである。
【００６３】
特に、熱膨張性材料が熱膨張ゴムおよび熱膨張スポンジなどの弾性材料である場合には、その熱膨張性材料により振動などが吸収されるため、電池モジュール２０の耐衝撃性が向上する。
【００６４】
電池ホルダ５０が熱膨張性材料を含んでいるのは、複数の二次電池４０が電池ホルダ５０により保持されている状態において、その複数の二次電池４０のうちの一部の二次電池４０が過度に発熱すると、その発熱に応じて電池ホルダ５０が熱膨張するからである。具体的には、電池ホルダ５０では、主に、一部の二次電池４０の近傍に位置する部分が優先的に熱膨張する。
【００６５】
この場合には、発熱源である一部の二次電池４０の近傍において電池ホルダ５０が部分的に熱膨張することにより、その電池ホルダ５０が一部の二次電池４０と他の二次電池４０とを互いに遠ざけるように熱変形する。これにより、一部の異常な二次電池４０が他の正常な二次電池４０から遠ざかるように変位するため、その一部の二次電池４０において発生した熱が他の二次電池４０に伝導されにくくなる。よって、電池モジュール２０全体において蓄熱しにくくなるため、いわゆる複数の二次電池４０が類焼しにくくなる。この「類焼」とは、発熱源である異常な二次電池４０において発生した熱が他の正常な二次電池４０に伝導されすぎた結果、その異常な二次電池４０の発火に起因して正常な二次電池４０が二次的発火することにより、複数の二次電池４０が全体として連続的かつ加速度的に発火（燃焼）する現象である。
【００６６】
［接続端子板］
接続端子板６０は、主に、複数の二次電池４０を互いに電気的に接続させる接続端子部材である。ここでは、電池モジュール２０は、例えば、２個の接続端子板６０（前側接続端子板６１および後側接続端子板６２）を含んでいる。
【００６７】
［前側接続端子板］
前側接続端子板６１は、前側電池ホルダ５１の前側に配置されており、複数の二次電池４０のうちの２個以上の二次電池４０に電気的に接続されている。これに伴い、前側接続端子板６１は、例えば、互いに分離された端子板６１１，６１２を含んでいる。
【００６８】
端子板６１１は、例えば、２個の二次電池４０（４１，４２）に電気的に接続されている。具体的には、端子板６１１は、例えば、二次電池４１，４２のそれぞれの正極端子部４０Ｐに電気的に接続されている。これに伴い、端子板６１１は、例えば、二次電池４１の正極端子部４０Ｐに対応する位置から二次電池４２の正極端子部４０Ｐに対応する位置まで延在している。すなわち、端子板６１１は、例えば、高さ方向に延在する短冊状の立体的形状を有している。
【００６９】
この端子板６１１は、例えば、その端子板６１１に電気的に接続されている２個の二次電池４１，４２の変位に応じて伸縮可能である。上記した電池ホルダ５０の熱膨張現象を利用して二次電池４０が変位しても、二次電池４０と続端子板６１１との電気的接続が維持されやすくなるからである。
【００７０】
具体的には、端子板６１１は、２個の二次電池４１，４２の変位に応じて安定に伸縮可能となるために、折り曲げ部６１Ｂを有している。この折り曲げ部６１Ｂは、例えば、端子板６１１のうちの一部が２個の二次電池４１，４２から遠ざかるように折り曲げられた部分である。すなわち、折り曲げ部６１Ｂは、主に、高さ方向において端子板６１１を伸張させると共に短縮させるためのマージン、言い替えれば高さ方向において端子板６１１の寸法を変化させるマージンとして機能する。これにより、端子板６１１は、折り曲げ部６１Ｂを利用して高さ方向に伸縮可能である。なお、折り曲げ部６１Ｂは、例えば、湾曲していてもよいし、途中で１回または２回以上折れ曲がっていてもよい。図２では、例えば、折り曲げ部６１Ｂが湾曲している場合を示している。
【００７１】
端子板６１１に設けられる折り曲げ部６１Ｂの数は、特に限定されないため、１個だけでもよいし、２個以上でもよい。図２では、例えば、端子板６１１に１個の折り曲げ部６１Ｂが設けられている場合を示している。
【００７２】
また、端子板６１１に対する折り曲げ部６１Ｂの設置位置は、特に限定されない。中でも、折り曲げ部６１Ｂは、２個の二次電池４１，４２と重ならない位置に設けられていることが好ましい。端子板６１１と２個の二次電池４１，４２との電気的接続を担保しつつ、その端子板６１１が折り曲げ部６１Ｂを利用して伸縮しやすくなるからである。
【００７３】
端子板６１２は、例えば、４個の二次電池４０（４３〜４６）に電気的に接続されている。具体的には、端子板６１２は、例えば、二次電池４３，４４のそれぞれの負極端子部４０Ｍおよび二次電池４５，４６のそれぞれの正極端子部４０Ｐに電気的に接続されている。これに伴い、端子板６１２は、例えば、二次電池４３の負極端子部４０Ｍに対応する位置から二次電池４４の負極端子部４０Ｍおよび二次電池４６の正極端子部４０Ｐのそれぞれに対応する位置を経由して二次電池４５の正極端子部４０Ｐに対応する位置まで延在している。すなわち、端子板６１２は、例えば、開口部６１２Ｋを有するリング状の立体的形状を有している。
【００７４】
この端子板６１２は、例えば、その端子板６１２に電気的に接続されている４個の二次電池４３〜４６の変位に応じて伸縮可能である。上記した電池ホルダ５０の熱膨張現象を利用して二次電池４０が変位しても、二次電池４０と続端子板６１２との電気的接続が維持されやすくなるからである。
【００７５】
具体的には、端子板６１２は、４個の二次電池４３〜４６の変位に応じて安定に伸縮可能となるために、折り曲げ部６１Ｂを有している。折り曲げ部６１Ｂに関する詳細は、上記した通りである。
【００７６】
図２では、例えば、端子板６１２に４個の折り曲げ部６１Ｂが設けられている場合を示している。具体的には、端子板６１２のうちの幅方向に延在する一対の部分のそれぞれに折り曲げ部６１Ｂが設けられていると共に、その端子板６１２のうちの高さ方向に延在する一対の部分のそれぞれに折り曲げ部６１Ｂが設けられている。折り曲げ部６１Ｂは、主に、幅方向および高さ方向において端子板６１２の寸法を伸張させると共に短縮させるためのマージンとして機能するため、その端子板６１２は、折り曲げ部６１Ｂを利用して幅方向および高さ方向に伸縮可能である。
【００７７】
端子板６１２に対する折り曲げ部６１Ｂの設置場所は、特に限定されない。中でも、折り曲げ部６１Ｂは、４個の二次電池４３〜４６と重ならない位置に設けられていることが好ましい。端子板６１２と４個の二次電池４３〜４６との電気的接続を担保しつつ、その端子板６１２が折り曲げ部６１Ｂを利用して伸縮しやすくなるからである。
【００７８】
［後側接続端子板］
後側接続端子板６２は、後側電池ホルダ５２の後側に配置されていることを除いて、上記した前側接続端子板６１と同様の構成を有している。
【００７９】
具体的には、後側接続端子板６２は、例えば、互いに分離された端子板６２１，６２２を含んでいる。
【００８０】
端子板６２１は、例えば、２個の二次電池４０（４５，４６）に電気的に接続されていることを除いて、上記した端子板６１１と同様の構成を有している。具体的には、端子板６２１は、例えば、二次電池４５，４６のそれぞれの負極端子部４０Ｍに電気的に接続されている。また、端子板６２１は、例えば、１個の折り曲げ部６２Ｂを有しており、その端子板６２１に電気的に接続されている２個の二次電池４５，４６の変位に応じて高さ方向に伸縮可能である。折り曲げ部６２Ｂに関する詳細は、例えば、上記した折り曲げ部６１Ｂに関する詳細と同様である。
【００８１】
端子板６２２は、例えば、４個の二次電池４０（４１〜４４）に電気的に接続されていることを除いて、上記した端子板６１２と同様の構成を有している。具体的には、端子板６２２は、例えば、二次電池４１，４２のそれぞれの負極端子部４０Ｍおよび二次電池４３，４４のそれぞれの正極端子部４０Ｐに電気的に接続されている。また、端子板６２２は、例えば、４個の折り曲げ部６２Ｂを有しており、その端子板６２２に電気的に接続されている４個の二次電池４１〜４４の変位に応じて幅方向および高さ方向に伸縮可能である。
【００８２】
［仕切板］
仕切板７０は、前側電池ホルダ５１と後側電池ホルダ５２との間に配置されている。この仕切板７０は、主に、複数の二次電池４０の間に配置されることにより、その複数の二次電池４０の配置領域を仕切る仕切部材である。
【００８３】
仕切板７０には、例えば、複数の配置スペース７０Ｓが設けられている。この配置スペース７０Ｓは、二次電池４０が配置されるスペースである。この配置スペース７０Ｓに二次電池４０が配置されることにより、その二次電池４０が仕切板７０により支持される。
【００８４】
この仕切板７０は、例えば、上記した電池ホルダ５０のうちの仕切部５１１，５２１と同様の構成を有している。具体的には、仕切板７０は、例えば、幅方向に延在する支持板部７１と、その支持板部７１に設けられると共に長さ方向に延在する複数の隔壁部７２とを含んでいる。
【００８５】
ここでは、仕切板７０は、例えば、６個の二次電池４０（４１〜４６）に対応して、６個の配置スペース７０Ｓを有している。これに伴い、仕切板７０は、例えば、１個の支持板部７１と、その支持板部７１の上面に設けられた２個の隔壁部７２と、その支持板部７１の下面に設けられた２個の隔壁部７２とを含んでいる。６個の配置スペース７０Ｓの配列パターンは、例えば、上記した６個の二次電池４１〜４６の配列パターンに対応している。
【００８６】
幅方向における支持板部７１の一端部および他端部のそれぞれには、例えば、上記したように、高さ方向に延在する貫通口７０Ｈが設けられている。すなわち、支持板部７１には、例えば、２個の貫通口７０Ｈが設けられている。幅方向において仕切板７０の向きをどちらの向きにしても、ネジ１３を用いて仕切板７０を下側筐体１２に固定することができるからである。
【００８７】
仕切板７０の形成材料は、特に限定されない。具体的には、仕切板７０は、例えば、金属材料、高分子材料およびファインセラミックスなどのうちのいずれか１種類または２種類以上を含んでいる。
【００８８】
中でも、仕切板７０は、電池ホルダ５０の形成材料と同様の材料（熱膨張性材料）を含んでいることが好ましい。電池ホルダ５０の熱膨張現象だけでなく、仕切板７０の熱膨張現象も利用して発熱源である二次電池４０が変位するため、複数の二次電池４０がより類焼しにくくなるからである。
【００８９】
または、仕切板７０は、高い熱伝導率を有する熱伝導性材料を含んでいることが好ましい。仕切板７０により支持されている二次電池４０が発熱しても、その熱が二次電池４０から仕切板７０に伝導されやすくなるため、電池モジュール２０全体において蓄熱しにくくなるからである。すなわち、一部の二次電池４０が発熱しても、その熱が仕切板７０を介して他の二次電池４０に伝導される。これにより、一部の二次電池４０において発生した熱が複数の二次電池４０に分散されるため、各二次電池４０の温度がばらつきにくくなる。
【００９０】
この場合には、特に、上記したように、筐体１０（上側筐体１１および下側筐体１２）が熱伝導性材料を含んでいると共に、その筐体１０に仕切板７０が連結されていることにより、発熱源である異常な二次電池４０において発生した熱が仕切板７０を経由して筐体１０に伝導されやすくなる。よって、電池モジュール２０全体においてより蓄熱しにくくなる。
【００９１】
この「熱伝導性材料」とは、円滑かつ安定に熱を伝導させることが可能な材料の総称である。熱伝導性材料の物性は、上記したように、円滑かつ安定に熱を伝導させることが可能な物性であれば、特に限定されないが、できるだけ高いことが好ましい。具体的には、熱伝導性材料の熱伝導率は、０．５Ｗ／（ｍ・Ｋ）以上であることが好ましい。二次電池４０の発熱時において仕切板７０が十分に熱を伝導させやすくなるからである。
【００９２】
熱伝導性材料の種類は、上記した物性を有する材料のうちのいずれか１種類または２種類以上であれば、特に限定されない。具体的には、熱伝導性材料は、例えば、高熱伝導樹脂、高熱伝導ゴム、金属材料およびファインセラミックスなどである。高熱伝導樹脂は、例えば、三菱エンジニアリングプラスチックス株式会社製の高熱伝導ポリカーボネート（絶縁タイプ）  ＴＰＮ２３５４などである。高熱伝導ゴムは、例えば、アルミナ（酸化アルミニウム）などが混錬されたシリコーンゴムなどである。金属材料は、例えば、表面が十分に絶縁処理されたアルミニウムなどである。ファインセラミックスは、例えば、アルミナおよび窒化アルミニウムなどである。
【００９３】
もちろん、仕切板７０は、熱膨張性および熱伝導性の双方を有する材料を含んでいてもよい。この場合には、二次電池４０が過度に発熱しても、電池モジュール２０全体においてより蓄熱しにくくなるため、複数の二次電池４０がより類焼しにくくなる。
【００９４】
＜１−３．二次電池の構成＞
次に、上記した二次電池４０の構成に関して説明する。
【００９５】
図３は、図２に示した二次電池４０の断面構成を表している。ここで説明する二次電池は、例えば、上記したように、円筒型のリチウムイオン二次電池である。このリチウムイオン二次電池では、電極反応物質としてリチウムが用いられていると共に、リチウムの吸蔵現象およびリチウムの放出現象を利用して負極４１２の容量が得られる。
【００９６】
［全体構成］
具体的には、二次電池４０は、例えば、図３に示したように、電池缶４０１の内部に、一対の絶縁板４０２，４０３と、巻回電極体４１０とを備えている。この巻回電極体４１０は、例えば、セパレータ４１３を介して正極４１１と負極４１２とが積層されたのち、その正極４１１、負極４１２およびセパレータ４１３が巻回された巻回体である。巻回電極体４１０には、例えば、液状の電解質である電解液が含浸されている。
【００９７】
電池缶４０１は、例えば、一端部が閉鎖されると共に他端部が開放された中空の円柱状であり、例えば、鉄、アルミニウムおよびそれらの合金などのうちのいずれか１種類または２種類以上を含んでいる。一対の絶縁板４０２，４０３は、例えば、巻回電極体４１０の巻回周面に対して交差する方向に延在していると共に、その巻回電極体４１０を互いに挟むように配置されている。
【００９８】
電池缶４０１の開放端部には、電池蓋４０４と、安全弁機構４０５と、熱感抵抗素子であるＰＴＣ素子（Positive Temperature Coefficient）４０６とがガスケット４０７を介してかしめられている。これにより、電池缶４０１は密閉されている。電池蓋４０４は、例えば、電池缶４０１と同様の材料を含んでおり、上記した正極端子部４０Ｐとして機能する。安全弁機構４０５およびＰＴＣ素子４０６のそれぞれは、電池蓋４０４の内側に設けられており、その安全弁機構４０５は、ＰＴＣ素子４０６を介して電池蓋４０４と電気的に接続されている。安全弁機構４０５では、内部短絡および外部加熱などに起因して内圧が一定以上になるとディスク板４０５Ａが反転するため、電池蓋４０４と巻回電極体４１０との電気的接続が切断される。大電流に起因する異常な発熱を防止するために、ＰＴＣ素子４０６の抵抗は、温度の上昇に応じて増加する。ガスケット４０７は、例えば、絶縁性材料を含んでいる。
【００９９】
巻回電極体４１０の巻回中心に設けられた空間には、例えば、センターピン４１４が挿入されている。ただし、二次電池４０は、センターピン４１４を備えていなくてもよい。正極４１１には、正極リード４１５が取り付けられており、その正極リード４１５は、例えば、アルミニウムなどの導電性材料のうちのいずれか１種類または２種類以上を含んでいる。負極４１２には、負極リード４１６が取り付けられており、その負極リード４１６は、例えば、ニッケルなどの導電性材料のうちのいずれか１種類または２種類以上を含んでいる。この負極リード４１６は、電池缶４０１と電気的に接続されているため、その電池缶４０１は、上記した負極端子部４０Ｍとして機能する。
【０１００】
［正極］
正極４１１は、例えば、正極集電体と、その正極集電体の片面または両面に設けられた正極活物質層とを含んでいる。
【０１０１】
正極集電体は、例えば、アルミニウムなどの導電性材料のうちのいずれか１種類または２種類以上を含んでいる。正極活物質層は、例えば、リチウムを吸蔵および放出することが可能である正極活物質と共に、正極結着剤および正極導電剤などを含んでいる。
【０１０２】
正極活物質は、例えば、リチウム含有化合物のうちのいずれか１種類または２種類以上を含んでおり、そのリチウム含有化合物は、例えば、リチウム遷移金属含有複合酸化物およびリチウム遷移金属含有リン酸化合物などである。リチウム遷移金属含有複合酸化物は、リチウムと１種類または２種類以上の遷移金属元素などとを構成元素として含む複合酸化物であると共に、リチウム遷移金属含有リン酸化合物は、リチウムと１種類または２種類以上の遷移金属元素などとを構成元素として含むリン酸化合物である。遷移金属元素の種類は、特に限定されないが、例えば、ニッケル、コバルト、マンガンおよび鉄などである。
【０１０３】
正極結着剤は、例えば、合成ゴムおよび高分子材料などのうちのいずれか１種類または２種類以上を含んでいる。合成ゴムは、例えば、スチレンブタジエン系ゴム、フッ素系ゴムおよびエチレンプロピレンジエンなどである。高分子材料は、例えば、ポリフッ化ビニリデンおよびポリイミドなどである。
【０１０４】
正極導電剤は、例えば、炭素材料などのうちのいずれか１種類または２種類以上を含んでいる。炭素材料は、例えば、黒鉛、カーボンブラック、アセチレンブラックおよびケッチェンブラックなどである。
【０１０５】
［負極］
負極４１２は、例えば、負極集電体と、その負極集電体の片面または両面に設けられた負極活物質層とを含んでいる。
【０１０６】
負極集電体は、例えば、銅などの導電性材料のうちのいずれか１種類または２種類以上を含んでいる。負極活物質層は、例えば、リチウムを吸蔵および放出することが可能である負極活物質と共に、負極結着剤および負極導電剤などを含んでいる。
【０１０７】
負極活物質は、例えば、炭素材料および金属系材料などのうちのいずれか１種類または２種類以上を含んでいる。炭素材料は、例えば、易黒鉛化性炭素、難黒鉛化性炭素および黒鉛などである。金属系材料は、例えば、金属元素および半金属元素のうちのいずれか１種類または２種類以上を構成元素として含む材料の総称である。この金属系材料は、単体でもよいし、合金でもよいし、化合物でもよいし、それらのうちの２種類以上でもよいし、それらのうちの１種類または２種類以上の相を含む材料でもよい。金属元素および半金属元素のそれぞれの種類は、特に限定されないが、例えば、マグネシウム、ホウ素、アルミニウム、ガリウム、インジウム、ケイ素、ゲルマニウム、スズ、鉛、ビスマス、カドミウム、銀、亜鉛、ハフニウム、ジルコニウム、イットリウム、パラジウムおよび白金などである。
【０１０８】
負極結着剤および負極導電剤に関する詳細は、例えば、上記した正極結着剤および正極導電剤に関する詳細と同様である。
【０１０９】
この二次電池４０では、充電途中において負極４１２の表面にリチウム金属が意図せずに析出することを防止するために、リチウムを吸蔵および放出することが可能である負極活物質の電気化学当量は、例えば、正極４１１の電気化学当量よりも大きくなるように設定されている。
【０１１０】
［セパレータ］
セパレータ４１３は、正極４１１と負極４１との間に配置されており、正極４１１と負極４１２との接触に起因する電流の短絡を防止しながらリチウムイオンを通過させる。このセパレータ４１３は、例えば、合成樹脂およびセラミックなどの多孔質膜のうちのいずれか１種類または２種類以上を含んでいる。合成樹脂は、例えば、ポリテトラフルオロエチレン、ポリプロピレンおよびポリエチレンなどである。
【０１１１】
［電解液］
電解液は、例えば、非水溶媒および電解質塩などを含んでいる。非水溶媒は、例えば、環状炭酸エステルおよび鎖状炭酸エステルなどのうちのいずれか１種類または２種類以上を含んでいる。環状炭酸エステルは、例えば、炭酸エチレンおよび炭酸プロピレンなどであると共に、鎖状炭酸エステルは、例えば、炭酸ジメチル、炭酸ジエチルおよび炭酸エチルメチルなどである。電解質塩は、例えば、リチウム塩などのうちのいずれか１種類または２種類以上を含んでおり、そのリチウム塩は、例えば、六フッ化リン酸リチウム（ＬｉＰＦ6 ）などである。
【０１１２】
＜１−４．製造方法＞
次に、上記した電池パック１００の製造方法に関して説明する。この電池パック１００は、例えば、以下で説明する手順により製造される。
【０１１３】
図４は、電池パック１００の製造方法を説明するために、図１に対応する斜視構成を示している。ただし、図４では、下側筐体１２に電池モジュール２０が収納された状態を示している。
【０１１４】
以下では、図１〜図４を参照して、６個の二次電池４０（４１〜４６）を備えた電池パック１００を製造する場合に関して説明する。
【０１１５】
［二次電池の作製］
電池パック１００を製造する場合には、最初に、図３に示したように、二次電池４０を作製する。
【０１１６】
二次電池４０を作製する場合には、最初に、正極集電体の両面に正極活物質層を形成することにより、正極４１１を作製すると共に、負極集電体の両面に負極活物質層を形成することにより、負極４１２を作製する。続いて、溶接法などを用いて正極４１１（正極集電体）に正極リード４１５を取り付けると共に、溶接法などを用いて負極４１２（負極集電体）に負極リード４１６を取り付ける。
【０１１７】
続いて、セパレータ４１３を介して正極４１１と負極４１２とを積層させたのち、その正極４１１、負極４１２およびセパレータ４１３を巻回させることにより、巻回電極体４１０を作製する。続いて、巻回電極体４１０の巻回中心に設けられた空間にセンターピン４１４を挿入する。
【０１１８】
続いて、一対の絶縁板４０２，４０３の間に巻回電極体４１０を挟みながら、その一対の絶縁板４０２，４０３および巻回電極体４１０を電池缶４０１の内部に収納する。この場合には、溶接法などを用いて正極リード４１５の先端部を安全弁機構４０５に取り付けると共に、溶接法などを用いて負極リード４１６の先端部を電池缶４０１に取り付ける。続いて、電池缶４０１の内部に電解液を注入することにより、その電解液を巻回電極体４１０に含浸させる。
【０１１９】
最後に、ガスケット４０７を介して電池缶４０１の開口端部に電池蓋４０４、安全弁機構４０５およびＰＴＣ素子４０６をかしめる。これにより、二次電池４０が完成する。
【０１２０】
［電池モジュールの作製］
次に、図２に示したように、二次電池４１〜４６を用いて電池モジュール２０を作製する。
【０１２１】
電池モジュール２０を作製する場合には、最初に、仕切板７０に設けられた６個の配置スペース７０Ｓに二次電池４１〜４６を配置させる。この場合には、上記したように、二次電池４１，４２，４５，４６のそれぞれでは正極端子部４０Ｐが前側を向くと共に、二次電池４３，４４のそれぞれでは負極端子部４０Ｍが前側を向くようにする。これにより、仕切板７０により二次電池４１〜４６が支持される。
【０１２２】
続いて、仕切板７０により二次電池４１〜４６が支持された状態において、前側電池ホルダ５１に設けられた６個の窪み５１Ｕに二次電池４１〜４６のそれぞれの前側部分４０Ｆを挿入させると共に、後側電池ホルダ５２に設けられた６個の窪み５２Ｕに二次電池４１〜４６のそれぞれの後側部分４０Ｒを挿入させる。これにより、仕切板７０により二次電池４１〜４６が支持された状態において、その二次電池４１〜４６が前側電池ホルダ５１および後側電池ホルダ５２により保持される。
【０１２３】
最後に、前側電池ホルダ５１に前側接続端子板６１（端子板６１１，６１２）を取り付けると共に、後側電池ホルダ５２に後側接続端子板６２（６２１，６２２）を取り付ける。この場合には、上記したように、二次電池４１，４２，４５，４６のそれぞれの正極端子部４０Ｐが開口部５１Ｋを経由して端子板６１１，６１２に電気的に接続されると共に、二次電池４３，４３のそれぞれの負極端子部４０Ｍが開口部５１Ｋを経由して端子板６１２に電気的に接続されるようにする。また、上記したように、二次電池４５，４６のそれぞれの負極端子部４０Ｍが開口部５２Ｋを経由して端子板６２１に接続されると共に、二次電池４１，４２のそれぞれの負極端子部４０Ｍおよび二次電池４３，４４のそれぞれの正極端子部４０Ｐが開口部５２Ｋを経由して端子板６２２に接続されるようにする。
【０１２４】
これにより、前側電池ホルダ５１および後側電池ホルダ５２により二次電池４１〜４６が保持された状態において、その二次電池４１〜４６が２並列×３直列となるように互いに接続されるため、電池モジュール２０が完成する。
【０１２５】
［電池パックの作製］
最後に、図１および図４に示したように、電池モジュール２０を用いて電池パック１００を作製する。
【０１２６】
電池パック１００を作製する場合には、最初に、下側筐体１２の内部に電池モジュール２０を収納する。この場合には、上記したように、２個の突起部１２Ｔの間に電池モジュール２０が配置されるようにする。
【０１２７】
続いて、突起部１２Ｔに設けられたネジ穴１２Ｈに、電池モジュール２０のうちの仕切板７０に設けられた貫通口７０Ｈを介してネジ１３を挿入させる。これにより、仕切板７０が下側筐体１２に連結されると共に、その下側筐体１２に電池モジュール２０が固定される。
【０１２８】
続いて、電池モジュール２０の上方に回路基板３０を配置させることにより、前側接続端子板６１（端子板６１１）を回路基板３０に接続させると共に、後側接続端子板６２（端子板６２１）を回路基板３０に接続させる。
【０１２９】
最後に、下側筐体１２に上側筐体１１を取り付けることにより、筐体１０（上側筐体１１および下側筐体１２）の内部に電池モジュール２０および回路基板３０を封入する。これにより、筐体１０の内部に電池モジュール２０および回路基板３０が収納されるため、電池パック１００が完成する。
【０１３０】
＜１−５．動作＞
次に、上記した電池パック１００の動作に関して説明する。以下では、電池パック１００の充放電動作に関して説明したのち、その電池パック１００の安全動作に関して説明する。
【０１３１】
図５は、電池パック１００の安全動作を説明するために、その電池パック１００の断面構成を表している。ただし、図５では、ＸＺ面に沿った電池パック１００の断面を示している。また、図５では、例えば、二次電池４１〜４６のうちの二次電池４５が短絡に起因して過度に発熱した場合を示している。
【０１３２】
［充放電動作］
この電池パック１００の使用時には、例えば、以下で説明するように、複数の二次電池４０において充放電反応が進行する。すなわち、充電時には、正極４１１からリチウムイオンが放出されると共に、そのリチウムイオンが電解液を介して負極４１２に吸蔵される。一方、放電時には、負極４１２からリチウムイオンが放出されると共に、そのリチウムイオンが電解液を介して正極４１１に吸蔵される。
【０１３３】
［安全動作］
電池パック１００の使用に伴い、二次電池４５が発熱すると、上記したように、その熱が仕切板７０を介して他の二次電池４１〜４４，４６に伝導される。これにより、上記したように、二次電池４５において発生した熱が他の二次電池４１〜４４，４６に分散されるため、その二次電池４５において蓄熱されにくくなると共に、各二次電池４０の温度がばらつきにくくなる。
【０１３４】
この場合には、仕切板７０が熱伝導性材料を含んでいると、二次電池４５において発生した熱が仕切板７０を介して二次電池４１〜４４，４６に伝導されやすくなるため、その二次電池４５においてより蓄熱されにくくなる。また、筐体１０も熱伝導性材料を含んでいると、その筐体１０に対して仕切板７０が連結されていることにより、二次電池４５において発生した熱が仕切板７０を介して筐体１０まで伝導されるため、その二次電池４５においてさらに蓄熱されにくくなる。
【０１３５】
ここで、短絡などに起因して二次電池４５が過度に発熱すると、前側電池ホルダ５１が熱膨張性材料を含んでいるため、その二次電池４５の近傍において前側電池ホルダ５１が熱膨張する。
【０１３６】
これにより、図５に示したように、主に、前側電池ホルダ５１の熱膨張現象を利用して、発熱源である異常な二次電池４５およびその周辺の正常な二次電池４３，４６に応力Ｆ１〜Ｆ３が付与されるため、その二次電池４３，４５，４６が変位する。
【０１３７】
具体的には、熱膨張性を有する１個の前側電池ホルダ５１により二次電池４３，４５，４６が保持されている状態において、その二次電池４５の近傍において前側電池ホルダ５１が熱膨張する。これにより、二次電池４３，４５，４６のそれぞれに互いに異なる方向の応力Ｆ１〜Ｆ３が付与されるため、その二次電池４３，４５，４６が互いに異なる方向に変位する。
【０１３８】
すなわち、発熱源である異常な二次電池４５には、左斜め上方向に向かう応力Ｆ１が付与されるため、その二次電池４５は、左斜め上方向に変位する。これに対して、正常な二次電池４３には、右斜め上方向に向かう応力Ｆ２が付与されるため、その二次電池４３は、右斜め上方向に変位すると共に、正常な二次電池４６には、左斜め下方向に向かう応力Ｆ３が付与されるため、その二次電池４６は、左斜め下方向に変位する。
【０１３９】
よって、発熱源である異常な二次電池４５は、正常な二次電池４３，４６のそれぞれから遠ざかるように変位すると共に、その正常な二次電池４３，４６は、発熱源である異常な二次電池４５から遠ざかるように変位する。これにより、二次電池４５が過度に発熱しても、その二次電池４５が二次電池４３，４６から隔離されるため、その二次電池４５において発生した熱が二次電池４３，４６に伝導されにくくなる。
【０１４０】
この場合には、前側電池ホルダ５１の熱膨張現象を利用して二次電池４５が変位すると、その二次電池４５が配置スペース７０Ｓから脱離する。これにより、二次電池４５が仕切板７０から離間されるため、その二次電池４５において発生した熱が仕切板７０を介して二次電池４３，４６に伝導されにくくなる。これにより、仕切板７０が熱伝導性材料を含んでいても、その二次電池４５において発生した熱が二次電池４３，４６に伝導されにくくなる。
【０１４１】
なお、上記した前側電池ホルダ５１の熱膨張現象を利用した利点は、同様に熱膨張性材料を含んでいる後側電池ホルダ５２に関しても同様に得られる。すなわち、二次電池４５が発熱すると、二次電池４３，４５，４６に応力Ｆ１〜Ｆ３を付与するように後側電池ホルダ５２が熱膨張するため、その二次電池４３，４５，４６が互いに遠ざかるように変位する。
【０１４２】
＜１−６．作用および効果＞
次に、上記した電池パック１００の作用および効果に関して説明する。
【０１４３】
［主要な作用および効果］
この電池パック１００によれば、複数の二次電池４０を保持する電池ホルダ５０を含んでいる。この電池ホルダ５０は、複数の二次電池４０の配置領域を仕切る仕切部５１１，５１２を含んでおり、その電池ホルダ５０（仕切部５１１，５１２）は、熱膨張性材料を含んでいる。この場合には、上記したように、複数の二次電池４０のうちの一部の二次電池４０が発熱すると、電池ホルダ５０の熱膨張現象を利用して、発熱源である異常な二次電池４０が他の正常な二次電池４０から遠ざかるように変位する。これにより、異常な二次電池４０において発生した熱が他の正常な二次電池４０に伝導されにくくなるため、その正常な二次電池４０が加熱されにくくなる。よって、電池モジュール２０全体において蓄熱しにくくなるため、複数の二次電池４０が類焼しにくくなる。よって、安全性を向上させることができる。
【０１４４】
特に、電池ホルダ５０が熱膨張性材料を含んでいると、上記したように、一部の二次電池４０が過度に発熱した場合においてだけ電池ホルダ５０が熱膨張する。これにより、一部の二次電池４０の発熱量が少ない場合には、意図的に複数の二次電池４０同士を近づけておくことにより、その一部の二次電池４０において発生した熱が複数の二次電池４０に分散されるため、各二次電池４０の温度がばらつきにくくなる。よって、通常の電池パック１００の使用時には、複数の二次電池４０を大電流で充放電させることができる。一方、短絡などに起因して一部の二次電池４０が過度に発熱したため、その一部の二次電池４０の発熱量が多い場合には、電池ホルダ５０の熱膨張現象を利用して発熱源である異常な一部の二次電池４０が意図的に他の正常な二次電池４０から遠ざかるため、複数の二次電池４０が類焼しにくくなる。よって、短絡などの異常の発生時には、安全性を担保することができる。
【０１４５】
また、一部の二次電池４０が過度に発熱すると、上記したように、その発熱に応じて電池ホルダ５０が熱膨張するため、その一部の二次電池４０が過度に発熱したのち、複数の二次電池４０間の距離が自動的に大きくなる。これにより、一部の二次電池４０が過度に発熱する前においては、上記したように、発熱量が少ない場合には一部の二次電池４０において発生した熱が他の二次電池４０に分散されるようにするために、複数の二次電池４０を互いに接近させておくことができる。よって、一部の二次電池４０が過度に発熱する前から複数の二次電池４０間の距離を大きくしておく必要がないため、電池モジュール２０を小型化することができると共に、電池パック１００も小型化することができる。
【０１４６】
さらに、複数の二次電池４０を保持する電池ホルダ５０自体が熱膨張性を有しているため、一部の二次電池４０が過度に発熱した場合において複数の二次電池４０間の距離を大きくするために、その複数の二次電池４０の間に熱膨張部材を別途設置しておく必要がない。よって、上記した熱膨張部材が不要になる観点においても、電池モジュール２０および電池パック１００のそれぞれを小型化することができる。
【０１４７】
［他の作用および効果］
この他、電池ホルダ５０が仕切部５１１，５２１と共に枠部５１２，５２２を含んでいれば、複数の二次電池４０が間隔を隔てて互いに離間された状態において電池ホルダ５０により安定に保持される。よって、複数の二次電池４０が安定に離間および保持されながら類焼が発生しにくくなるため、より高い効果を得ることができる。
【０１４８】
また、熱膨張性材料が熱膨張ゴムなどを含んでおり、より具体的には熱膨張性材料が５倍以上の熱膨張倍率を有していれば、二次電池４０の発熱時において電池ホルダ５０が十分に熱膨張するため、より高い効果を得ることができる。
【０１４９】
また、複数の二次電池４０に、その複数の二次電池４０の変位に応じて伸縮可能である接続端子板６０（前側接続端子板６１および後側接続端子板６２）が電気的に接続されていれば、電池ホルダ５０の熱膨張現象を利用して複数の二次電池４０が変位しても、その複数の二次電池４０と接続端子板６０との電気的接続が維持されやすくなる。よって、電池素子である電池モジュール２０の機能が担保されながら類焼が発生しにくくなるため、より高い効果を得ることができる。
【０１５０】
この場合には、接続端子板６０が折り曲げ部６１Ｂ，６２Ｂを有していれば、その接続端子板６０が折り曲げ部６１Ｂ，６２Ｂを利用して安定に伸縮しやすくなるため、さらに高い効果を得ることができる。
【０１５１】
また、電池ホルダ５０が二次電池４０のうちの前側部分４０Ｆを保持する前側電池ホルダ５１および二次電池４０のうちの後側部分４０を保持する後側電池ホルダ５２を含んでいれば、その電池ホルダ５０により複数の二次電池４０が安定に保持されやすくなる。よって、複数の二次電池４０が電池ホルダ５０の熱膨張現象を利用して安定に変位しやすくなるため、より高い効果を得ることができる。
【０１５２】
この場合には、前側電池ホルダ５１と後側電池ホルダ５２との間に仕切板７０が設けられていれば、複数の二次電池７０が互いに離間された状態で配置されやすくなる。よって、複数の二次電池４０が電池ホルダ５０の熱膨張現象を利用して安定に変位しやすくなるため、より高い効果を得ることができる。
【０１５３】
また、仕切板７０が熱膨張性材料を含んでいれば、電池ホルダ５０の熱膨張現象だけでなく仕切板７０の熱膨張現象も利用して複数の二次電池４０が変位するため、その複数の二次電池４０がより変位しやすくなる。よって、複数の二次電池４０がより類焼しにくくなるため、より高い効果を得ることができる。
【０１５４】
また、仕切板７０が熱伝導性材料を含んでいれば、複数の二次電池４０が発熱しても、その熱が複数の二次電池４０から仕切板７０に伝導されやすくなる。よって、複数の二次電池４０において蓄熱しにくくなるため、より高い効果を得ることができる。
【０１５５】
また、筐体１０の内部に複数の二次電池４０および電池ホルダ５０が収納されており、その筐体１０に仕切板７０が連結されていれば、その筐体１０と電池ホルダ５０により保持された複数の二次電池４０との間の隙間が維持されやすくなる。よって、複数の二次電池４０が電池ホルダ５０の熱膨張現象を利用して安定に変位しやすくなるため、より高い効果を得ることができる。
【０１５６】
この場合には、筐体１０および仕切板７０のそれぞれが熱伝導性材料を含んでいれば、二次電池４０において発生した熱が仕切板７０を介して筐体１０に伝導されやすくなる。よって、電池モジュール２０においてより蓄熱しにくくなるため、さらに高い効果を得ることができる。
【０１５７】
＜１−７．変形例＞
次に、上記した電池パック１００の変形例に関して説明する。上記した電池パック１００の構成は、適宜、変更可能である。
【０１５８】
［変形例１］
例えば、図２に対応する図６に示したように、前側接続端子板６１のうちの少なくとも折り曲げ部６０Ｂが設けられている領域に開口部６１Ｋが設けられていてもよい。この開口部６１Ｋは、例えば、いわゆるスリットである。なお、開口部６１Ｋは、折り曲げ部６１Ｂだけに設けられていてもよいし、その折り曲げ部６１Ｂからその周辺領域まで延設されていてもよい。
【０１５９】
開口部６１Ｋの数は、特に限定されないため、１個だけでもよいし、２個以上でもよい。
【０１６０】
具体的には、端子板６１１では、例えば、開口部６１Ｋが高さ方向に延在するように折り曲げ部６１Ｂおよびその周辺領域に設けられている。すなわち、端子板６１１には、例えば、１個の開口部６１Ｋが設けられている。ここでは、開口部６１Ｋは、例えば、折り曲げ部６１Ｂよりも上方の領域まで延設されていると共に、その折り曲げ部６１Ｂよりも下方の領域まで延設されている。
【０１６１】
また、端子板６１２では、例えば、開口部６１Ｋが高さ方向に延在するように折り曲げ部６１Ｂおよびその周辺領域に設けられていると共に、開口部６１Ｋが幅方向に延在するように折り曲げ部６１Ｂおよびその周辺領域に設けられている。すなわち、端子板６１２には、例えば、４個の開口部６１Ｋが設けられている。ここでは、開口部６１Ｋは、例えば、折り曲げ部６１Ｂよりも上方の領域まで延設されていると共に、その折り曲げ部６１Ｂよりも下方の領域まで延設されている。また、開口部６１Ｋは、例えば、折り曲げ部６１Ｂよりも左方の領域に延設されていると共に、その折り曲げ部６１Ｂよりも右方の領域まで延設されている。
【０１６２】
前側接続端子板６１に開口部６１Ｋが設けられていると、その開口部６１Ｋが設けられている領域において前側接続端子板６１（折り曲げ部６１Ｂ）の幅が狭くなる。この場合には、前側接続端子板６１がより変形しやすくなるため、その前側接続端子板６１がより伸縮しやすくなる。よって、複数の二次電池４０が変位しても、その複数の二次電池４０と前側接続端子板６１との電気的接続がより維持されやすくなるため、より高い効果を得ることができる。
【０１６３】
なお、ここでは変形例１を適用する対象として前側接続端子板６１を例に挙げたが、その変形例１を後側接続端子板６２に適用してもよい。この場合には、後側接続端子板６２がより変形しやすくなるため、その後側接続端子板６２がより伸縮しやすくなる。よって、複数の二次電池４０が変位しても、その複数の二次電池４０と後側接続端子板６２との接続状態がより維持されやすくなるため、同様の効果を得ることができる。
【０１６４】
［変形例２］
また、前側電池ホルダ５１および後側電池ホルダ５２の双方が熱膨張性材料を含むようにしたが、その前側電池ホルダ５１および後側電池ホルダ５２のうちのいずれか一方だけが熱膨張性材料を含むようにしてもよい。この場合においても、前側電池ホルダ５１および後側電池ホルダ５２の双方が熱膨張性材料を含んでいない場合と比較して、電池ホルダ５０の熱膨張現象を利用して複数の二次電池４０が変位しやすくなるため、同様の効果を得ることができる。
【０１６５】
ただし、複数の二次電池４０をより変位しやすくするためには、前側電池ホルダ５１および後側電池ホルダ５２の双方が熱膨張性材料を含んでいることが好ましい。
【０１６６】
［変形例３］
また、２個の突起部１２Ｔのうちの一方の突起部１２Ｔだけにネジ穴１２Ｈを設けるようにしたが、その２個の突起部１２Ｔの双方にネジ穴１２Ｈを設けてもよい。この場合には、２個のネジ１３を用いて下側筐体１２に電池モジュール２０が固定（２点止め）されるため、１個のネジ１３を用いて下側筐体１２に電池モジュール２０が固定（１点止め）される場合と比較して、その下側筐体１２に対する電池モジュール２０の固定強度が向上する。これにより、筐体１０の内部において振動などに起因して電池モジュール２０の位置がずれることは抑制されるため、筐体１０と電池ホルダ５０により保持された複数の二次電池４０との間の隙間がより維持されやすくなる。よって、複数の二次電池４０がより安定に変位しやすくなるため、より高い効果を得ることができる。
【０１６７】
［変形例４］
なお、仕切板７０に２個の貫通口７０Ｈを設けるようにしたが、その仕切板７０に１個の貫通口７０Ｈを設けるようにしてもよい。この場合においても、ネジ１３を用いて下側筐体１１２に電池モジュール２０が固定されるため、同様の効果を得ることができる。
【０１６８】
＜２．電池パック（第２実施形態）＞
次に、本技術の第２実施形態の電池パックに関して説明する。
【０１６９】
＜２−１．構成＞
本実施形態の電池パックの一例である電池パック２００は、以下で説明するように、筐体１０、電池ホルダ５０（前側電池ホルダ５１および後側電池ホルダ５２）および仕切板７０のそれぞれの構成が異なることを除いて、第１実施形態の電池パック１００と同様の構成を有している。以下では、電池パック１００の構成要素を随時引用する。
【０１７０】
図７は、電池パック２００の斜視構成を表しており、図１に対応している。図８は、図７に示した電池ホルダ５０（前側電池ホルダ５１および後側電池ホルダ５２）の斜視構成を表しており、図２に対応している。
【０１７１】
筐体１０は、例えば、図７に示したように、上側筐体１１および下側筐体１２に代えて、前側筐体１４および後側筐体１５を含んでいる。
【０１７２】
前側筐体１４の内壁面には、例えば、長さ方向に延在する突起部１４Ｔが設けられている。また、後側筐体１５の内壁面には、長さ方向に延在する突起部１５Ｔが設けられている。突起部１４Ｔ，１５Ｔのそれぞれの数は、特に限定されない。ここでは、突起部１４Ｔ，１５Ｔのそれぞれの数は、例えば、２個である。
【０１７３】
前側電池ホルダ５１には、例えば、図８に示したように、上記した突起部１４Ｔに対応する位置に、長さ方向に延在する貫通口５１Ｈが設けられている。また、後側電池ホルダ５２には、例えば、図８に示したように、上記した突起部１５Ｔに対応する位置に、長さ方向に延在する貫通口５２Ｈが設けられている。貫通口５１Ｈ，５２Ｈのそれぞれの数は、特に限定されない。ここでは、貫通口５１Ｈ，５２Ｈのそれぞれの数は、例えば、上記した突起部１４Ｔ，１５Ｔのそれぞれの数に対応して、２個である。
【０１７４】
この電池パック２００では、例えば、前側筐体１４と後側筐体１５とが互いに組み合わされることにより、筐体１０（前側筐体１４および後側筐体１５）の内部に電池モジュール２０が収納される際に、突起部１４Ｔが貫通口５１Ｈに挿入されると共に、突起部１５Ｔが貫通口５２Ｈに挿入される。これにより、電池モジュール２０が筐体１０に位置合わせされると共に固定される。
【０１７５】
この場合には、突起部１４Ｔ，１５Ｔおよび貫通口５１Ｈ，５２Ｈを利用して筐体１０に電池モジュール２０が固定されるため、例えば、その筐体１０に突起部１２Ｔが設けられていなくてもよいと共に、仕切板７０に貫通口７０Ｈが設けられていなくてもよい。
【０１７６】
＜２−２．製造方法＞
この電池パック２００は、例えば、上側筐体１１および下側筐体１２に代えて前側筐体１４および後側筐体１５を用いると共に、筐体１０の内部に電池モジュール２０を収納する際に突起部１４Ｔ，１５Ｔを貫通口５１Ｈ，５２Ｈに挿入させることを除いて、電池パック１００の製造方法と同様の手順により製造される。
【０１７７】
＜２−３．動作＞
この電池パック２００は、仕切板７０が筐体１０に連結されていないため、その筐体１０が熱伝導性材料を含んでいても、二次電池４０において発生した熱が仕切板７０を介して筐体１０に伝導されないことを除いて、電池パック１００と同様に動作（充放電動作および安全動作）する。
【０１７８】
＜２−４．作用および効果＞
この電池パック２００によれば、複数の二次電池４０を保持する電池ホルダ５０が熱膨張性材料を含んでいるため、電池パック１００と同様の理由により、安全性を向上させることができる。これ以外の電池パック２００に関する他の作用および効果は、電池パック１００に関する作用および効果と同様である。
【０１７９】
＜２−５．変形例＞
上記した電池パック２００の構成は、適宜、変更可能である。
【０１８０】
［変形例１］
図９は、電池パック２００の構成に関する変形例を表しており、ＹＺ面に沿った電池パック２００の断面構成を表している。ただし、図９では、筐体１０と仕切板７０との連結関係を分かりやすくするために、筐体１０および仕切板７０のそれぞれに網掛けを施している。また、図９では、複数の二次電池４０および接続端子板６０（前側接続端子板６１および後側接続端子板６２）の図示を省略している。
【０１８１】
筐体１０として前側筐体１４および後側筐体１５を用いる場合には、例えば、図９に示したように、突起部１４Ｔ，１５Ｔのそれぞれを延長することにより、その突起部１４Ｔ，１５Ｔのそれぞれを仕切板７０に当接させてもよい。これにより、突起部１４Ｔは、貫通口５１Ｈを経由して仕切板７０に接触すると共に、突起部１５Ｔは、貫通口５２Ｈを経由して仕切板７０に接触する。
【０１８２】
この場合には、筐体１０（前側筐体１４および後側筐体１５）が熱伝導性材料を含んでいると共に、仕切板７０も熱伝導性材料を含んでいることにより、電池パック１００と同様に、二次電池４０において発生した熱が仕切板７０を介して筐体１０に伝導されやすくなるため、その二次電池４０においてより蓄熱しにくくなる。よって、より高い効果を得ることができる。
【０１８３】
［変形例２］
上記したように、突起部１４Ｔが貫通口５１Ｈを経由して仕切板７０に接触する場合には、例えば、仕切板７０に窪みを設けることにより、その窪みに突起部１４Ｔを挿入してもよい。仕切板７０に突起部１４Ｔが固定されるため、その突起部１４Ｔと仕切板７０との電気的接続が維持されやすくなる。また、仕切板７０に対する突起部１４Ｔの接触面積が大きくなるため、二次電池４０において発生した熱が仕切板７０を介して筐体１０（突起部１４Ｔ）に伝導されやすくなる。よって、さらに高い効果を得ることができる。
【０１８４】
もちろん、ここでは変形例２を適用する対象として突起部１４Ｔおよび仕切板７０を例に挙げたが、その変形例２を突起部１５Ｔおよび仕切板７０に適用してもよい。この場合には、突起部１５Ｔと仕切板７０との電気的接続が維持されやすくなると共に、二次電池４０において発生した熱が仕切板７０を介して筐体１０（突起部１５Ｔ）に伝導されやすくなるため、同様の効果を得ることができる。
【０１８５】
＜３．電池パックの用途＞
次に、上記した電池パックの適用例（用途）に関して説明する。
【０１８６】
電池パックの用途は、その電池パックを駆動用の電源および電力蓄積用の電力貯蔵源などとして利用可能である機械、機器、器具、装置およびシステム（複数の機器などの集合体）などであれば、特に限定されない。電源として用いられる電池パックは、主電源でもよいし、補助電源でもよい。主電源とは、他の電源の有無に関係なく、優先的に用いられる電源である。補助電源は、例えば、主電源の代わりに用いられる電源でもよいし、必要に応じて主電源から切り替えられる電源でもよい。電池パックを補助電源として用いる場合には、主電源は電池パックに限られない。
【０１８７】
＜３−１．電子機器などの各種用途＞
電池パックの用途は、例えば、以下の通りである。ビデオカメラ、デジタルスチルカメラ、携帯電話機、ノート型のパーソナルコンピュータ、コードレス電話機、ヘッドホンステレオ、携帯用ラジオ、携帯用テレビおよび携帯用情報端末などの電子機器（携帯用電子機器を含む。）である。電気シェーバなどの携帯用生活器具である。バックアップ電源およびメモリーカードなどの記憶用装置である。電動ドリルおよび電動鋸などの電動工具である。ペースメーカおよび補聴器などの医療用電子機器である。電気自動車（ハイブリッド自動車を含む）などの電動車両である。非常時などに備えて電力を蓄積しておく家庭用バッテリシステムなどの電力貯蔵システムである。もちろん、電池パックの用途は、上記以外の他の用途でもよい。
【０１８８】
中でも、電池パックは、電動車両、電力貯蔵システム、電動工具および電子機器などに適用されることが有効であり、特に、電動工具に適用されることがより有効である。これらの用途では優れた電池特性が要求されるため、本技術の電池パックを用いることにより、有効に性能向上を図ることができるからである。
【０１８９】
なお、電動車両は、電池パックを駆動用電源として作動（走行）する車両であり、上記したように、電池パック以外の駆動源を併せて備えた自動車（ハイブリッド自動車など）でもよい。電力貯蔵システムは、電池パックを電力貯蔵源として用いるシステムである。例えば、家庭用の電力貯蔵システムでは、電力貯蔵源である電池パックに電力が蓄積されているため、その電力を利用して家庭用の電気製品などを使用することが可能である。電動工具は、電池パックを駆動用の電源として用いて可動部（例えば、ドリルなど）が可動する工具である。電子機器は、電池パックを駆動用の電源（電力供給源）として各種機能を発揮する機器である。
【０１９０】
ここで、電池パックの適用例に関して具体的に説明する。なお、以下で説明する適用例の構成は、あくまで一例であるため、その適用例の構成は、適宜変更可能である。
【０１９１】
＜３−２．電動工具＞
図１０は、電動工具のブロック構成を表している。
【０１９２】
ここで説明する電動工具は、例えば、電動ドリルである。この電動工具は、例えば、工具本体１０１の内部に、制御部１０２と、電源１０３とを備えている。工具本体１０１には、例えば、可動部であるドリル部１０４が稼働（回転）可能に取り付けられている。
【０１９３】
工具本体１０１は、例えば、金属材料および高分子材料などのうちのいずれか１種類または２種類以上を含んでいる。制御部１０２は、電動工具の全体の動作（電源１０３の使用状態を含む）を制御する。この制御部１０２は、例えば、中央演算処理装置（ＣＰＵ）などを含んでいる。電源１０３は、１個または２個以上の電池パックを含んでいる。この制御部１０２は、動作スイッチの操作に応じて、電源１０３からドリル部１０４に電力を供給する。
【０１９４】
以上、いくつかの実施形態を挙げながら本技術を説明したが、本技術は上記したいくつかの実施形態において説明した態様に限定されず、その本技術に関しては種々の変形が可能である。
【０１９５】
具体的には、二次電池の電池構造が円筒型である場合に関して説明したが、本技術の電池パックに適用される二次電池の電池構造は、特に限定されない。具体的には、二次電池の電池構造は、例えば、ラミネートフィルム型、角型およびコイン型などでもよい。
【０１９６】
また、二次電池が巻回構造を有する場合に関して説明したが、その二次電池の構造は、特に限定されない。具体的には、二次電池は、例えば、積層構造などの他の構造を有していてもよい。
【０１９７】
また、二次電池の電極反応物質としてリチウムを用いたが、その電極反応物質の種類は、特に限定されない。具体的には、電極反応物質は、例えば、ナトリウムおよびカリウムどの長周期型周期表における他の１族の元素でもよいし、マグネシウムおよびカルシウムなどの長周期型周期表における２族の元素でもよいし、アルミニウムなどの他の軽金属でもよい。
【０１９８】
なお、本明細書中に記載された効果はあくまで例示であって限定されるものではなく、また、他の効果があってもよい。
【０１９９】
なお、本技術は、以下のような構成を取ることも可能である。
（１）
複数の二次電池と、
（Ａ）前記複数の二次電池を保持し、（Ｂ）前記複数の二次電池の間に配置されると共に、その複数の二次電池の配置領域を仕切る仕切部を含み、（Ｃ）熱膨張性材料を含む、電池保持部材と
を備えた、電池パック。
（２）
前記電池保持部材は、さらに、前記複数の二次電池の周囲に配置されると共に前記仕切部に連結された枠部を含む、
上記した（１）に記載の電池パック。
（３）
前記熱膨張性材料は、熱膨張ゴムおよび熱膨張スポンジのうちの少なくとも一方を含む、
上記した（１）または（２）に記載の電池パック。
（４）
前記熱膨張性材料は、５倍以上の熱膨張倍率を有する、
上記した（１）ないし（３）のいずれかに記載の電池パック。
（５）
さらに、
前記複数の二次電池のうちの２つ以上の前記二次電池に電気的に接続されると共に、前記２つ以上の二次電池の変位に応じて伸縮可能である接続端子部材を備えた、
上記した（１）ないし（４）のいずれかに記載の電池パック。
（６）
さらに、
前記複数の二次電池のうちの２つ以上の前記二次電池に電気的に接続されると共に、前記２つ以上の二次電池から部分的に遠ざかるように折り曲げられた折り曲げ部を含む接続端子部材を備えた、
上記した（１）ないし（４）のいずれかに記載の電池パック。
（７）
前記接続端子部材は、少なくとも前記折り曲げ部が設けられた領域に開口部を有する、
上記した（６）に記載の電池パック。
（８）
前記複数の二次電池のそれぞれは、
第１端部と、
前記第１端部の反対側の第２端部と
を含み、
前記電池保持部材は、
前記第１端部を保持する第１電池保持部材と、
前記第２端部を保持する第２電池保持部材と
を含む、
上記した（１）ないし（７）のいずれかに記載の電池パック。
（９）
さらに、
前記第１電池保持部材と前記第２電池保持部材との間に、前記複数の二次電池の間に配置されると共に前記複数の二次電池の配置領域を仕切る仕切部材を備えた、
上記した（８）に記載の電池パック。
（１０）
前記仕切部材は、熱膨張性材料を含む、
上記した（９）に記載の電池パック。
（１１）
さらに、
前記複数の二次電池および前記電池保持部材を収納する収納部材を備え、
前記仕切部材は、前記収納部材に連結されている、
上記した（９）に記載の電池パック。
（１２）
前記仕切部材および前記収納部材のそれぞれは、熱伝導性材料を含む、
上記した（１１）に記載の電池パック。
（１３）
さらに、
前記複数の二次電池および前記電池保持部材を収納すると共に、前記電池保持部材により保持された前記複数の二次電池のそれぞれとの間に間隔が設けられた収納部材を備えた、
上記した（１）ないし（１２）のいずれかに記載の電池パック。
（１４）
前記複数の二次電池のそれぞれは、リチウムイオン二次電池である、
上記した（１）ないし（１３）のいずれかに記載の電池パック。
（１５）
上記した（１）ないし（１４）のいずれかに電池パックと、
前記電池パックから電力を供給される可動部と
を備えた、電動工具。
（１６）
上記した（１）ないし（１４）のいずれかに電池パックを電力供給源として備えた、電子機器。
【図１】
2019044069.tif 000003
【図２】
2019044069.tif 000004
【図３】
2019044069.tif 000005
【図４】
2019044069.tif 000006
【図５】
2019044069.tif 000007
【図６】
2019044069.tif 000008
【図７】
2019044069.tif 000009
【図８】
2019044069.tif 000010
【図９】
2019044069.tif 000011
【図１０】
2019044069.tif 000012
【国際調査報告】
2019044069.tif 000013
2019044069.tif 000014
2019044069.tif 000015
2019044069.tif 000016